(57)【要約】【課題】バックライトの輝度むらを低減して、面光源として利用可能な領域の面積を拡大することを目的とする。【解決手段】第１界面５０及び第２界面５２は、光源２０に斜めに対向するとともに右方向又は左方向を斜めに向くように配置されている。第３界面５４及び第４界面５６は、第１界面５０又は第２界面５２に対向するように左方向又は右方向を斜めに向くとともに奥行き方向を斜めに向くように配置されている。光源２０からの光の少なくとも一部は、第１界面５０及び第２界面５２で反射して、右方向及び左方向にそれぞれ中心軸の方向が向く２つの光に分離される。第１界面５０で反射した光は、第３界面５４で反射して、中心軸の方向が奥行き方向を向くように進行する。第２界面５２で反射した光は、第４界面５６で反射して、中心軸の方向が奥行き方向を向くように進行する。【選択図】図３
2012247684.tif 000002
【特許請求の範囲】
【請求項１】
表示パネルと、
前記表示パネルの面光源として使用されるバックライトと、
を有し、
前記バックライトは、前記面光源よりも狭い発光領域を有する光源と、前記光源から入射した光を複数の界面での内部反射によって拡げる導光板と、を含み、
前記導光板は、前記光源から光が入射される側面と、前記光を面状に出射する表面と、前記表面とは反対側の裏面と、を有し、前記光源から出射された前記光の中心軸の方向に沿った奥行き方向の長さと、前記奥行き方向に直交する右方向及び左方向の幅を有し、
前記複数の界面は、前記表面及び前記裏面を貫通する穴及び切り欠きの少なくとも一方から形成された第１界面、第２界面、第３界面及び第４界面を含み、
前記第１界面は、前記光源に斜めに対向するとともに前記右方向を斜めに向くように配置され、
前記第２界面は、前記光源に斜めに対向するとともに前記左方向を斜めに向くように配置され、
前記第３界面は、前記第１界面に対向するように前記左方向を斜めに向くとともに前記奥行き方向を斜めに向くように配置され、
前記第４界面は、前記第２界面に対向するように前記右方向を斜めに向くとともに前記奥行き方向を斜めに向くように配置され、
前記光源からの前記光の少なくとも一部は、前記第１界面及び前記第２界面で反射して、前記右方向及び前記左方向にそれぞれ中心軸の方向が向く２つの光に分離され、
前記第１界面で反射した前記光は、前記第３界面で反射して、中心軸の方向が前記奥行き方向を向くように進行し、
前記第２界面で反射した前記光は、前記第４界面で反射して、中心軸の方向が奥行き方向を向くように進行することを特徴とする表示装置。
【請求項２】
請求項１に記載された表示装置において、
前記導光板は、周縁部に一対の前記切り欠きを有し、
前記一対の前記切り欠きは、一対の凹部であり、
前記一対の凹部の間に相対的に凸部が形成され、
前記凸部の先端面に対向するように前記光源が配置され、
前記凸部の前記先端面の両端から傾斜する一対の面が、前記第３界面及び前記第４界面であることを特徴とする表示装置。
【請求項３】
請求項１に記載された表示装置において、
前記導光板は、周縁部に一対の前記切り欠きを有し、
前記一対の前記切り欠きは、一対のスリットであり、
前記一対のスリットの間の領域に対向するように前記光源が配置され、
前記一対のスリットの相互に近い側の内面が、前記第３界面及び前記第４界面であることを特徴とする表示装置。
【請求項４】
請求項２又は３に記載された表示装置において、
前記導光板は、前記一対の前記切り欠きの間の部位に前記穴を有し、
前記穴に前記第１界面及び前記第２界面が形成されていることを特徴とする表示装置。
【請求項５】
請求項４に記載された表示装置において、
前記穴の開口は、前記光源に１つの頂点を向けた三角形であり、
前記１つの頂点を挟む２辺をそれぞれ開口端とする一対の内面が、前記第１界面及び前記第２界面であることを特徴とする表示装置。
【請求項６】
請求項４に記載された表示装置において、
前記穴は、開口がＶ字状になるように、一対の長穴が端部同士で接続した形状であり、
前記一対の長穴の相互に離れた側の内面が、前記第１界面及び前記第２界面であることを特徴とする表示装置。
【請求項７】
請求項１から３のいずれか１項に記載された表示装置において、
前記導光板は、前記第１界面と前記第２界面との間に、前記光源からの前記光の一部が通過する部位を有することを特徴とする表示装置。
【請求項８】
請求項７に記載された表示装置において、
前記導光板は、前記光源からの前記光の一部が通過する前記部位を挟む位置に、前記第１界面を形成する前記穴と、前記第２界面を形成する前記穴と、を有することを特徴とする表示装置。
【請求項９】
請求項８に記載された表示装置において、
前記第１界面を形成する前記穴及び前記第２界面を形成する前記穴の開口は、それぞれ、前記光源に頂点を向けて前記頂点に接続する一方の辺を相互に隣り合わせて配置した三角形であり、
前記第１界面を形成する前記穴の、前記頂点に接続する他方の辺を開口端とする内面が、前記第１界面であり、
前記第２界面を形成する前記穴の、前記頂点に接続する他方の辺を開口端とする内面が、前記第２界面であることを特徴とする表示装置。
【請求項１０】
請求項７に記載された表示装置において、
前記導光板は、前記光源からの前記光の一部が通過する前記部位を挟む位置に、前記第１界面を形成する前記切り欠きと、前記第２界面を形成する前記切り欠きと、を有することを特徴とする表示装置。
【請求項１１】
請求項１０に記載された表示装置において、
前記第１界面を形成する前記切り欠きと、前記第２界面を形成する前記切り欠きは、スリットであり、相互に離れた側の内面が、前記第１界面及び前記第２界面であることを特徴とする表示装置。
【請求項１２】
請求項１から１１のいずれか１項に記載された表示装置において、
前記導光板の前記表面及び前記裏面であって、少なくとも前記第１界面、前記第２界面、前記第３界面及び前記第４界面に隣接する領域に密着する膜をさらに有し、
前記膜の前記導光板に密着する面は、前記第１界面、前記第２界面、前記第３界面及び前記第４界面よりも光の反射率が高いことを特徴とする表示装置。
【発明の詳細な説明】
【技術分野】
【０００１】
本発明は、表示装置に関する。
【背景技術】
【０００２】
サイドライト方式のバックライトを備える表示装置では、導光板の端面に入射した光が、導光板の内部を進行し、裏面側の界面で反射して表面から出射するようになっている（特許文献１参照）。バックライトには点光源（例えばＬＥＤ（Light Emitting Diode））が使用されており、導光板の端面から入射した光は、内部を拡がりながら進行する。そのため、入光面から光が拡がるまでの領域は、輝度むらがあるために面光源として利用することができない。
【先行技術文献】
【特許文献】
【０００３】
【特許文献１】米国特許出願公開第2009／0284688号明細書
【発明の概要】
【発明が解決しようとする課題】
【０００４】
バックライトには複数のＬＥＤが使用されており、ＬＥＤの数を増やして、ＬＥＤのピッチを狭くすれば、導光板の入光面近傍での輝度むらを低減でき、入光面から有効領域（面光源として利用可能な領域）までの距離を短くすることができる。しかし、ＬＥＤには物理的な大きさがあり、ピッチをＬＥＤの幅より短くすることはできない。
【０００５】
本発明は、バックライトの輝度むらを低減して、面光源として利用可能な領域の面積を拡大することを目的とする。
【課題を解決するための手段】
【０００６】
（１）本発明に係る表示装置は、表示パネルと、前記表示パネルの面光源として使用されるバックライトと、を有し、前記バックライトは、前記面光源よりも狭い発光領域を有する光源と、前記光源から入射した光を複数の界面での内部反射によって拡げる導光板と、を含み、前記導光板は、前記光源から光が入射される側面と、前記光を面状に出射する表面と、前記表面とは反対側の裏面と、を有し、前記光源から出射された前記光の中心軸の方向に沿った奥行き方向の長さと、前記奥行き方向に直交する右方向及び左方向の幅を有し、前記複数の界面は、前記表面及び前記裏面を貫通する穴及び切り欠きの少なくとも一方から形成された第１界面、第２界面、第３界面及び第４界面を含み、前記第１界面は、前記光源に斜めに対向するとともに前記右方向を斜めに向くように配置され、前記第２界面は、前記光源に斜めに対向するとともに前記左方向を斜めに向くように配置され、前記第３界面は、前記第１界面に対向するように前記左方向を斜めに向くとともに前記奥行き方向を斜めに向くように配置され、前記第４界面は、前記第２界面に対向するように前記右方向を斜めに向くとともに前記奥行き方向を斜めに向くように配置され、前記光源からの前記光の少なくとも一部は、前記第１界面及び前記第２界面で反射して、前記右方向及び前記左方向にそれぞれ中心軸の方向が向く２つの光に分離され、前記第１界面で反射した前記光は、前記第３界面で反射して、中心軸の方向が前記奥行き方向を向くように進行し、前記第２界面で反射した前記光は、前記第４界面で反射して、中心軸の方向が奥行き方向を向くように進行することを特徴とする。本発明によれば、光源からの光が、第３界面及び第４界面で反射して進行する２つの光に分離されるので、光線の本数を光源の数よりも増やすことができる。これにより、奥行き方向の近い位置で輝度むらを低減することができるので、面光源として利用可能な領域の面積を拡大することができる。
【０００７】
（２）（１）に記載された表示装置において、前記導光板は、周縁部に一対の前記切り欠きを有し、前記一対の前記切り欠きは、一対の凹部であり、前記一対の凹部の間に相対的に凸部が形成され、前記凸部の先端面に対向するように前記光源が配置され、前記凸部の前記先端面の両端から傾斜する一対の面が、前記第３界面及び前記第４界面であることを特徴としてもよい。
【０００８】
（３）（１）に記載された表示装置において、前記導光板は、周縁部に一対の前記切り欠きを有し、前記一対の前記切り欠きは、一対のスリットであり、前記一対のスリットの間の領域に対向するように前記光源が配置され、前記一対のスリットの相互に近い側の内面が、前記第３界面及び前記第４界面であることを特徴としてもよい。
【０００９】
（４）（２）又は（３）に記載された表示装置において、前記導光板は、前記一対の前記切り欠きの間の部位に前記穴を有し、前記穴に前記第１界面及び前記第２界面が形成されていることを特徴としてもよい。
【００１０】
（５）（４）に記載された表示装置において、前記穴の開口は、前記光源に１つの頂点を向けた三角形であり、前記１つの頂点を挟む２辺をそれぞれ開口端とする一対の内面が、前記第１界面及び前記第２界面であることを特徴としてもよい。
【００１１】
（６）（４）に記載された表示装置において、前記穴は、開口がＶ字状になるように、一対の長穴が端部同士で接続した形状であり、前記一対の長穴の相互に離れた側の内面が、前記第１界面及び前記第２界面であることを特徴としてもよい。
【００１２】
（７）（１）から（３）のいずれか１項に記載された表示装置において、前記導光板は、前記第１界面と前記第２界面との間に、前記光源からの前記光の一部が通過する部位を有することを特徴としてもよい。
【００１３】
（８）（７）に記載された表示装置において、前記導光板は、前記光源からの前記光の一部が通過する前記部位を挟む位置に、前記第１界面を形成する前記穴と、前記第２界面を形成する前記穴と、を有することを特徴としてもよい。
【００１４】
（９）（８）に記載された表示装置において、前記第１界面を形成する前記穴及び前記第２界面を形成する前記穴の開口は、それぞれ、前記光源に頂点を向けて前記頂点に接続する一方の辺を相互に隣り合わせて配置した三角形であり、前記第１界面を形成する前記穴の、前記頂点に接続する他方の辺を開口端とする内面が、前記第１界面であり、前記第２界面を形成する前記穴の、前記頂点に接続する他方の辺を開口端とする内面が、前記第２界面であることを特徴としてもよい。
【００１５】
（１０）（７）に記載された表示装置において、前記導光板は、前記光源からの前記光の一部が通過する前記部位を挟む位置に、前記第１界面を形成する前記切り欠きと、前記第２界面を形成する前記切り欠きと、を有することを特徴としてもよい。
【００１６】
（１１）（１０）に記載された表示装置において、前記第１界面を形成する前記切り欠きと、前記第２界面を形成する前記切り欠きは、スリットであり、相互に離れた側の内面が、前記第１界面及び前記第２界面であることを特徴としてもよい。
【００１７】
（１２）（１）から（１１）のいずれか１項に記載された表示装置において、前記導光板の前記表面及び前記裏面であって、少なくとも前記第１界面、前記第２界面、前記第３界面及び前記第４界面に隣接する領域に密着する膜をさらに有し、前記膜の前記導光板に密着する面は、前記第１界面、前記第２界面、前記第３界面及び前記第４界面よりも光の反射率が高いことを特徴としてもよい。
【図面の簡単な説明】
【００１８】
【図１】本発明の第１の実施形態に係る表示装置を示す断面図である。
【図２】導光板及び光源の平面図である。
【図３】バックライトの作用効果を説明するための導光板及び光源の一部拡大図である。
【図４】実験に使用した導光板及び光源の寸法パラメータを示す図である。
【図５】実験に使用した導光板の寸法パラメータを示す図である。
【図６】第１の実験結果を示す図である。
【図７】第２の実験結果を示す図である。
【図８】第３の実験結果を示す図である。
【図９】第４の実験結果を示す図である。
【図１０】第１の実施形態の変形例を説明する図である。
【図１１】本発明の第２の実施形態に係る表示装置を示す平面図である。
【図１２】第２の実施形態の変形例を説明する図である。
【図１３】本発明の第３の実施形態に係る表示装置を示す平面図である。
【図１４】本発明の第４の実施形態に係る表示装置を示す平面図である。
【発明を実施するための形態】
【００１９】
以下、本発明の実施形態について、図面を参照して説明する。図１は、本発明の第１の実施形態に係る表示装置を示す断面図である。
【００２０】
表示装置は、表示パネル１０を有する。表示パネル１０は、光の通過及び遮断を制御して画像を表示する光シャッター方式のものである。図１に示す表示パネル１０は、液晶表示パネルであって、ガラス等からなる一対の基板１２とその間に挟まれた液晶層１３を含み、一対の基板１２の外側にそれぞれ偏光板１４を有する。下側（後述するバックライト１８側）の偏光板１４には、偏光を変換するフィルム１６が貼り付けられており、偏光板１４の光透過軸方向に振動する偏光を有する光の成分を増加させている。
【００２１】
表示装置は、表示パネル１０の面光源として使用されるバックライト１８を有する。バックライト１８は、光源２０を有する。光源２０は、ＬＥＤ（Light Emitting Diode）などの点光源である。点光源は、面光源に比べて発光領域が狭い。
【００２２】
バックライト１８は、導光板２２を含む。導光板２２の側面に、光源２０から光が入射する。導光板２２の表面２４から、光が面状に出射する。導光板２２は、光源２０（点光源）の光を面光源に変換して表示パネル１０に照射するためのものである。導光板２２の表面２４には、複数の第１凸部２６（縦突出部）が形成されている。第１凸部２６は、光の進行方向に沿って稜線が続く。第１凸部２６を形成することで、表面２４を界面として反射して内部に戻る光の拡がりを抑えている。表面２４とは反対側の裏面２８には、複数の第２凸部３０（横突出部）が形成されている。第２凸部３０は、光の進行方向に交差して稜線が続く。第２凸部３０を形成することで、裏面２８で反射した光が立ち上がって表面２４から出射する。
【００２３】
導光板２２の上（表示パネル１０に近い側）に、光拡散シート３２が配置されている。光拡散シート３２は弱い光拡散作用を持つので、これを光が透過することで光分布への影響が弱められる。光拡散シート３２の上（表示パネル１０に近い側）には、２枚のプリズムシート３４が配置されている。プリズムシート３４を光が透過することで、光を正面に集光させ、正面輝度を向上させることができる。また、導光板２２の下（表示パネル１０とは反対側）には反射シート３６が配置されている。バックライトは、多くの場合は光拡散シート３２、プリズムシート３４、反射シート３６を含む。
【００２４】
表示装置は、内フレーム３８を有する。内フレーム３８は、樹脂のモールド成形品であり、モールドともよばれる。内フレーム３８の内側にバックライト１８が配置されている。内フレーム３８及び表示パネル１０は、金属からなる外フレーム４０に収容されている。表示パネル１０（例えば偏光板１４）と内フレーム３８の間には、遮光テープ４２が配置されており、これにより光漏れが防止されている。
【００２５】
図２は、導光板２２及び光源２０の平面図である。図３は、導光板２２及び光源２０の一部拡大図である。本願では、光源２０から出射された光の中心軸の方向に沿った方向（図２で下から上の方向）を、導光板２２の奥行き方向と定義する。また、奥行き方向に直交する方向（図２で左右方向）を、導光板２２の幅方向と定義する。幅方向は、相互に反対方向に右方向及び左方向を含む。
【００２６】
導光板２２は、周縁部に複数の切り欠き（凹部４４）を有する。一対の凹部４４の間に相対的に凸部４６が形成される。凸部４６の先端面に対向するように光源２０が配置されている。導光板２２は、一対の切り欠き（凹部４４）の間の部位（つまり凸部４６）に穴４８を有している。穴４８の開口は、光源２０に１つの頂点を向けた三角形である。
【００２７】
導光板２２は、光源２０から入射した光を、複数の界面（第１界面５０、第２界面５２、第３界面５４及び第４界面５６）での内部反射によって拡げる。
【００２８】
第１界面５０は、光源２０に斜めに対向するとともに右方向を斜めに向くように配置されている。第２界面５２は、光源２０に斜めに対向するとともに左方向を斜めに向くように配置されている。穴４８に第１界面５０及び第２界面５２が形成されている。詳しくは、１つの頂点を挟む２辺をそれぞれ開口端とする一対の内面が、第１界面５０及び第２界面５２である。
【００２９】
第３界面５４は、第１界面５０に対向するように左方向を斜めに向くとともに奥行き方向を斜めに向くように配置されている。第４界面５６は、第２界面５２に対向するように右方向を斜めに向くとともに奥行き方向を斜めに向くように配置されている。凸部４６の先端面の両端から傾斜する一対の面が、第３界面５４及び第４界面５６である。
【００３０】
光源２０からの光の少なくとも一部は、第１界面５０及び第２界面５２で反射して、右方向及び左方向にそれぞれ中心軸の方向が向く２つの光に分離される。第１界面５０で反射した光は、第３界面５４で反射して、中心軸の方向が奥行き方向を向くように進行する。第２界面５２で反射した光は、第４界面５６で反射して、中心軸の方向が奥行き方向を向くように進行する。
【００３１】
本実施形態によれば、光源２０からの光が、第３界面５４及び第４界面５６で反射して進行する２つの光に分離されるので、光線の本数を光源２０の数よりも増やすことができる。これにより、奥行き方向の近い位置で輝度むらを低減することができるので、面光源として利用可能な領域の面積を拡大することができる。
【００３２】
次に、本実施形態を適用したバックライトの実験の結果を説明する。図４及び図５は、実験に使用した導光板及び光源の寸法パラメータを示す図である。実験では、光源としてＬＥＤを使用し、導光板を厚み方向に切断した断面を評価面として、これを通過する光量分布を測定した。パラメータ寸法は、ＬＥＤの出光部の幅ａ、一対のＬＥＤ間の第１界面及び第２界面の中央間距離ｂ、ＬＥＤピッチＰ、ＬＥＤ幅ｗ、凸部の高さＨ１、三角形の穴のＬＥＤへの方向の高さＨ２、入光面から評価面までの距離ｄ、導光板の入光面の厚さｔ１、導光板の厚さが一定である部分の厚さｔ２、入光面近傍で導光板の厚さがリニアに変化する部分の長さｃである。なお、導光板の奥行き方向の長さは５３．３９ｍｍであり、幅方向（左右方向）の長さは３８．７２ｍｍである。
【００３３】
図６は、第１の実験結果を示す図である。この実験では、ＬＥＤの数を６個とし、パラメータを次のように設定した。
ａ＝０．９ｍｍ
ｂ＝３．１ｍｍ
Ｐ＝６．２ｍｍ
ｗ＝３．８ｍｍ
Ｈ１＝１．０ｍｍ
Ｈ２＝１．０ｍｍ
ｄ＝２ｍｍ
ｔ１＝０．３４ｍｍ
ｔ２＝０．３０ｍｍ
ｃ＝０．８ｍｍ
【００３４】
図７は、第２の実験結果を示す図である。この実験では、ＬＥＤの数を６個とし、パラメータを次のように設定した。
ａ＝０．９ｍｍ
ｂ＝３．１ｍｍ
Ｐ＝６．２ｍｍ
ｗ＝３．８ｍｍ
Ｈ１＝１．０ｍｍ
Ｈ２＝１．０ｍｍ
ｄ＝３ｍｍ
ｔ１＝０．３４ｍｍ
ｔ２＝０．３０ｍｍ
ｃ＝０．８ｍｍ
【００３５】
図６及び図７において、細い実線が従来例のバックライトの測定値で、太い実線が本実施例のバックライトの測定値である。これらの図から、本実施例は、６個のＬＥＤを備えているが、光量分布には倍の１２個のピーク値を持つことが分る。つまり、６つのＬＥＤが等価的に１２個のＬＥＤに倍増したような通過光量分布を生み出している。また、本実施例のバックライトでの光量分布の振幅は従来例での光量分布の振幅の約１／４程度になっており、さらには、光量分布の振幅は入光面からの距離ｄが大きくなるに従って、小さくなることが分る。従って、本実施例ではＬ／Ｐ（Ｌは入光面から面光源として利用可能な領域Ａまでの距離。図２参照）を従来例に比べて小さくすることができる。
【００３６】
図８は、第３の実験結果を示す図である。この実験では、ＬＥＤの数を９個とし、パラメータを次のように設定した。
ａ＝０．９ｍｍ
ｂ＝０．９ｍｍ
Ｐ＝４．０ｍｍ
ｗ＝２．５ｍｍ
Ｈ１＝１．０ｍｍ
Ｈ２＝０．４ｍｍ
ｄ＝２ｍｍ
ｔ１＝０．３４ｍｍ
ｔ２＝０．３０ｍｍ
ｃ＝０．８ｍｍ
【００３７】
図９は、第４の実験結果を示す図である。この実験では、ＬＥＤの数を９個とし、パラメータを次のように設定した。
ａ＝０．９ｍｍ
ｂ＝０．９ｍｍ
Ｐ＝４．０ｍｍ
ｗ＝２．５ｍｍ
Ｈ１＝１．０ｍｍ
Ｈ２＝０．４ｍｍ
ｄ＝３ｍｍ
ｔ１＝０．３４ｍｍ
ｔ２＝０．３０ｍｍ
ｃ＝０．８ｍｍ
【００３８】
図８及び図９において、細い実線が従来例のバックライトの測定値で、太い実線が本例のバックライトの測定値である。これらの図から、本実施例は、９個のＬＥＤを備えているが、光量分布には倍の１８個のピーク値を持つことが分る。つまり、９つのＬＥＤが等価的に１８個のＬＥＤに倍増したような通過光量分布を生み出している。また、本実施例のバックライトでの光量分布の振幅は従来例での光量分布の振幅の約１／４程度になっていること、光量分布の振幅はｄが大きくなるに従って小さくなることが分る。
【００３９】
さらに、図６及び図７に示す結果と図８及び図９に示す結果を比較すると、ＬＥＤのピッチＰが小さくなるに従って、光量分布の振幅が大幅に低減することがわかる。
【００４０】
以上説明したように、本実施形態によって、ＬＥＤ間隔を狭くしたような光量分布を得ることができるので、入光面から有効表示領域までの距離を短くできる。さらには、導光板２２の入光面に、光を横方向に拡散させるレンチキュラーレンズ等を省略することも可能で、バックライト１８の正面輝度を従来のバックライトに較べて、大幅に向上することができる。
【００４１】
図１０は、第１の実施形態の変形例を説明する図である。この変形例では、導光板２２の表面２４及び裏面には、膜５８（図１０にハッチングで示す）が形成されている。膜５８は、アルミニウムの蒸着や、銀鏡反応による銀の付着などによって形成する。膜５８の導光板２２に密着する面は、第１界面５０、第２界面５２、第３界面５４及び第４界面５６よりも光の反射率が高い。つまり、膜５８によって、導光板２２の表面２４及び裏面に鏡面処理を施す。
【００４２】
膜５８は、少なくとも第１界面５０、第２界面５２、第３界面５４及び第４界面５６に隣接する領域に密着する。ただし、入光面に膜５８が付着しないように、膜５８の形成前に付着防止の処理を行うか、あるいは、膜５８の付着後にこれを除去する。
【００４３】
第１界面５０、第２界面５２、第３界面５４又は第４界面５６が表面２４及び裏面２８に対して垂直に切り立っていない場合、第１界面５０、第２界面５２、第３界面５４又は第４界面５６で反射した光は表面２４及び裏面から抜け出てしまう。そこで、膜５８を形成することで、少なくとも膜５８が形成された領域では、光が表面２４又は裏面２８から抜け出ないようになっている。したがって、膜５８は、入光面から、面光源として利用可能な領域Ａ（図２参照）の手前まで形成することが好ましい。
【００４４】
図１１は、本発明の第２の実施形態に係る表示装置を示す平面図である。本実施形態では、導光板２２２は、周縁部に一対の切り欠き（スリット２６０）を有する。一対のスリット２６０の間の領域に対向するように光源２２０が配置されている。一対のスリット２６０の相互に近い側の内面が、第３界面２５４及び第４界面２５６である。第３界面２５４及び第４界面２５６の詳細は、上述した第３界面５４及び第４界面５６（図３参照）の内容が該当する。
【００４５】
また、導光板２２２は、一対の切り欠き（スリット２６０）の間の部位に穴２４８を有している。穴２４８は、開口がＶ字状になるように、一対の長穴が端部同士で接続した形状である。穴２４８に第１界面２５０及び第２界面２５２が形成されている。詳しくは、一対の長穴の相互に離れた側の内面が、第１界面２５０及び第２界面２５２である。第１界面２５０及び第２界面２５２の詳細は、上述した第１界面５０及び第２界面５２（図３参照）の内容が該当する。
【００４６】
その他の詳細は、上述した第１の実施形態で説明した内容を適用することができ、本実施形態でも第１の実施形態と同じ効果を達成することができる。
【００４７】
図１２は、第２の実施形態の変形例を説明する図である。この変形例では、導光板２２２の表面２２４及び裏面には、膜２５８（図１２にハッチングで示す）が形成されている。膜２５８の詳細は、図１０を参照して説明した内容が該当する。その他の詳細は、上記第２の実施形態で説明した通りである。
【００４８】
図１３は、本発明の第３の実施形態に係る表示装置を示す平面図である。本実施形態は、導光板３２２に第１穴３６２及び第２穴３６４が形成されている点で第１の実施形態（図３参照）と相違する。
【００４９】
第１穴３６２の開口及び第２穴３６４の開口は、それぞれ、三角形である。第１穴３６２及び第２穴３６４の開口が描く三角形は、光源３２０に頂点を向けて配置され、頂点に接続する一方の辺を相互に隣り合わせている。第１穴３６２の開口が描く三角形の頂点に接続する他方の辺を開口端とする内面が第１界面３５０である。また、第２穴３６４の開口が描く三角形の頂点に接続する他方の辺を開口端とする内面が、第２界面３５２である。第１界面３５０及び第２界面３５２の詳細は、上述した第１界面５０及び第２界面５２（図３参照）の内容が該当する。
【００５０】
第１穴３６２と第２穴３６４の間には間隔があいており、この間を光源３２０からの光の一部が通過するようになっている。言い換えると、導光板３２２は、光源３２０からの光の一部が通過する部位を挟む位置に、第１界面３５０を形成する第１穴３６２と、第２界面３５２を形成する第２穴３６４と、を有する。
【００５１】
本実施形態によれば、第１界面３５０と第２界面３５２との間に、光源３２０からの光の一部が通過するので、第１の実施形態（図３参照）よりもさらに、光線の本数を増やすことができる。その他の詳細は、第１の実施形態で説明した内容が該当する。
【００５２】
図１４は、本発明の第４の実施形態に係る表示装置を示す平面図である。本実施形態は、図１１に示すＶ字状の穴２４８の代わりに、導光板４２２に第１スリット４６６及び第２スリット４６８が形成されている点で、第２の実施形態と相違する。第１スリット４６６及び第２スリット４６８の相互に離れた側の内面が、第１界面４５０及び第２界面４５２である。第１界面４５０及び第２界面４５２の詳細は、上述した第１界面５０及び第２界面５２（図３参照）の内容が該当する。
【００５３】
第１スリット４６６と第２スリット４６８の間には間隔があいており、この間を光源４２０からの光の一部が通過するようになっている。言い換えると、導光板４２２は、光源４２０からの光の一部が通過する部位を挟む位置に、第１界面４５０を形成する切り欠き（第１スリット４６６）と、第２界面４５２を形成する切り欠き（第２スリット４６８）と、を有する。
【００５４】
本実施形態によれば、第１界面４５０と第２界面４５２との間に、光源４２０からの光の一部が通過するので、第２の実施形態（図１１参照）よりもさらに、光線の本数を増やすことができる。その他の詳細は、第２の実施形態で説明した内容が該当する。
【００５５】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５６】
１０  表示パネル、１２  基板、１３  液晶層、１４  偏光板、１６  フィルム、１８  バックライト、２０  光源、２２  導光板、２４  表面、２６  第１凸部、２８  裏面、３０  第２凸部、３２  光拡散シート、３４  プリズムシート、３６  反射シート、３８  内フレーム、４０  外フレーム、４２  遮光テープ、４４  凹部、４６  凸部、４８  穴、５０  第１界面、５２  第２界面、５４  第３界面、５６  第４界面、５８  膜、２２０  光源、２２２  導光板、２２４  表面、２４８  穴、２５０  第１界面、２５２  第２界面、２５４  第３界面、２５６  第４界面、２５８  膜、２６０  スリット、３２０  光源、３２２  導光板、３５０  第１界面、３５２  第２界面、３６２  第１穴、３６４  第２穴、４２０  光源、４２２  導光板、４５０  第１界面、４５２  第２界面、４６６  第１スリット、４６８  第２スリット。
【図１】
2012247684.tif 000003
【図２】
2012247684.tif 000004
【図３】
2012247684.tif 000005
【図４】
2012247684.tif 000006
【図５】
2012247684.tif 000007
【図６】
2012247684.tif 000008
【図７】
2012247684.tif 000009
【図８】
2012247684.tif 000010
【図９】
2012247684.tif 000011
【図１０】
2012247684.tif 000012
【図１１】
2012247684.tif 000013
【図１２】
2012247684.tif 000014
【図１３】
2012247684.tif 000015
【図１４】
2012247684.tif 000016